(57)【要約】【課題】コストを抑えて露光時の熱による写真フィルムの劣化（ネガ焼け）を防止することができる、写真処理装置を提供する。【解決手段】ネガフィルム１２の画像を印画紙１４に投影露光することによってネガフィルム１２の画像を印画紙１４に焼き付ける写真処理装置１０において、露光時間が所定時間を超えるとき露光を時分割して行う。【選択図】　　　　図１
2004020695.tif 000002
【特許請求の範囲】
【請求項１】
写真フィルムの画像を感光材料に投影露光することによって前記写真フィルムの画像を前記感光材料に焼き付ける写真処理装置において、
露光時間が所定時間を超えるとき露光を時分割して行うことを特徴とする、写真処理装置。
【発明の詳細な説明】
【０００１】
【発明の属する技術分野】
この発明は写真処理装置に関し、より特定的には、アナログ式の写真処理装置に関する。
【０００２】
【従来の技術】
従来、アナログ式の写真処理装置では、現像済みの写真フィルムの画像を印画紙に焼き付ける場合、写真フィルムの画像の濃度によって露光時間を可変させるよう処理されている。このとき、濃度の高い（オーバー）画像の焼き付けでは露光時間が長くなるが、熱による写真フィルムの劣化（ネガ焼け）を防止するため、フィルム冷却ファンを設けるなどの対策が講じられていた。
【０００３】
【発明が解決しようとする課題】
しかしこの場合、フィルム冷却ファンを設けるためにコストが上昇してしまうという問題点があった。
それゆえに、この発明の主たる目的は、コストを抑えて露光時の熱による写真フィルムの劣化（ネガ焼け）を防止することができる、写真処理装置を提供することである。
【０００４】
【課題を解決するための手段】
上述の目的を達成するために、請求項１に記載の写真処理装置は、写真フィルムの画像を感光材料に投影露光することによって写真フィルムの画像を感光材料に焼き付ける写真処理装置において、露光時間が所定時間を超えるとき露光を時分割して行うことを特徴とする。
請求項１に記載の写真処理装置では、露光時間が所定時間を超えると一度に露光するのではなく合計で必要な露光時間となるように時分割して露光する。すなわち、１回の焼き付けを複数回に分割して行う。このように途中で露光を中断することによって写真フィルムを冷却することができるので、写真フィルムの温度上昇を抑制しながら所望の露光を行える。したがって、フィルム冷却ファンを必要とせずコストを抑えて写真フィルムの劣化（ネガ焼け）を防止することができる。
【０００５】
【発明の実施の形態】
以下、図面を参照して、この発明の実施形態について説明する。
図１にこの発明の一実施形態の写真処理装置１０を示す。写真処理装置１０は、アナログ式の写真処理装置であり、現像済みのネガフィルム１２のコマ画像を感光材料としての印画紙１４に投影露光することによって、ネガフィルム１２のコマ画像を印画紙１４に焼き付ける。
写真処理装置１０は光源１６を含む。光源１６からの光が、シアン、マゼンタ、イエローの３種のフィルタを備える調光フィルタ１８および光を均一化するミラートンネル２０を介して、フィルムキャリア２２に保持されたネガフィルム１２に導かれ、ネガフィルム１２のコマ画像がズーム型のレンズ２４で拡大され、シャッタ２６の開放によって露光部の露光位置Ｐに結像される。シャッタ２６はロータリーソレノイド２７によって開閉される。
【０００６】
フィルムキャリア２２は、ネガフィルム１２を送る複数のローラ２８と、複数のローラ２８を同期状態で駆動する電動モータ３０と、ネガフィルム１２のコマ画像の領域からだけの光を取り出すネガマスク３２と、ネガフィルム１２の各コマ画像の位置を検出するようネガフィルム１２近傍に配置されるＣＣＤラインセンサ３４とを含む。
レンズ２４を支持する移動台３６に反射ミラー３８が備えられ、移動台３６を露光光路中に位置させることで反射ミラー３８からの光が、レンズ４０を介して、電動モータ４２で回転駆動される赤（Ｒ）、緑（Ｇ）、青（Ｂ）の３色の回転フィルタ４４で色分解されてＣＣＤイメージセンサ４６に導かれ、ネガフィルム１２の画像データがスキャンされる。
【０００７】
また、印画紙マガジン４８からの印画紙１４はローラ５０によって搬送される。ローラ５０は電動モータ５２によって駆動され、送り出される印画紙１４は、電動アクチュエータ５４で駆動される２枚の切断刃を有するカッター５６で切断される。カッター５６で切断された印画紙１４は無端搬送帯５８によって負圧による吸着状態で搬送される。無端搬送帯５８は複数の輪体６０を巻回し、輪体６０は電動モータ６２によって駆動される。これによって、印画紙１４が露光位置Ｐまで搬送され露光される。露光された印画紙１４は、図示しない現像処理部に搬送され、所定の現像処理が施される。なお、印画紙マガジン４８とローラ５０との間には、印画紙マガジン４８からの印画紙１４の終端を検出する終端センサ６４が配置される。
【０００８】
また、写真処理装置１０はコントローラ６６を含む。コントローラ６６は、光源１６に対する電力と、調光フィルタ１８の露光量を設定する電動アクチュエータ６８と、フィルムキャリア２２のローラ２８を駆動する電動モータ３０と、回転フィルタ４４を回転駆動する電動モータ４２と、シャッタ２６を開閉するロータリーソレノイド２７と、ローラ５０を駆動する電動モータ５２と、カッター５６を駆動する電動アクチュエータ５４と、無端搬送帯５８を駆動する電動モータ６２とを、それぞれ制御する。
コントローラ６６には、ＣＣＤラインセンサ３４と、ＣＣＤイメージセンサ４６と、終端センタ６４とからの信号が入力される。さらに、コントローラ６６には、操作卓７０と、モニタ７２と、ブザー等のアラーム７４とが接続される。
【０００９】
なお、コントローラ６６は、スキャン処理によって各コマ画像を読み取り、読み取られた画像に基づいて、コマ画像毎に露光条件を決定する制御を行い、決定された露光条件によって印画紙１４に投影露光する際に得られるであろう画像をシュミレートしてモニタ７２に表示する。オペレータは、モニタ７２に表示された画像をみて、必要に応じて露光時間等を調整する。印画紙１４を搬送するための電動モータ５２，６２にはステッピングモータが用いられ、コントローラ６６から電動モータ５２，６２に出力される駆動用のパルス信号をコントローラ６６がカウントすることによって、印画紙１４の搬送量を計測できる。
【００１０】
さらに、調光フィルタ１８とミラートンネル２０との間にシャッタ７６が設けられる。シャッタ７６はロータリーソレノイド７８によって開閉され、ロータリーソレノイド７８はコントローラ６６によって制御される。シャッタ７６の開閉によって、ネガフィルム１２に与えられる光を遮断でき、光を間欠的にネガフィルム１２に与えることができ、露光を時分割して行うことができる。
【００１１】
このような写真処理装置１０の主要動作を、図２を参照して説明する。
まず、これから焼き付け処理を行おうとしているネガフィルム１２のコマ画像について、スキャンによって得られた画像データに基づいて、コントローラ６６によって露光時間が設定される（ステップＳ１）。オペレータは、必要に応じて操作卓７０によって露光時間を調整できる。ついで、そのネガフィルム１２のコマの焼き付け枚数を操作卓７０によって入力し（ステップＳ３）、入力された焼き付け枚数に応じて露光時間の閾値が設定される（ステップＳ５）。通常、焼き付け枚数が多いほど露光時間の閾値が小さくされる。そして、そのコマ画像の露光時間が、設定された閾値以上か否かが判断され（ステップＳ７）、露光時間が閾値以上であれば、入力された焼き付け枚数分の各印画紙１４に対して露光が時分割して行われる（ステップＳ９）。時分割露光では、少なくとも１回露光がオフするように露光オンと露光オフとが切り替えられ、露光オン時間の合計が所望の露光時間になるよう露光される。なお、露光オフの時間は予め設定しておけばよい。一方、露光時間が閾値より小さければ、入力された焼き付け枚数分の各印画紙１４に対して通常どおり露光される（ステップＳ１１）。このような処理が各コマ画像について行われる。
【００１２】
写真処理装置１０によれば、露光時間が所定時間を超えると一度に露光するのではなく合計で必要な露光時間となるように時分割して露光する。このように途中で露光を中断することによってネガフィルム１２を冷却することができるので、ネガフィルム１２の温度上昇を抑制しながら所望の露光を行える。したがって、フィルム冷却ファンを必要とせずコストを抑えてネガフィルム１２の劣化（ネガ焼け）を防止することができる。
【００１３】
一般に、焼き付け枚数が多くなればなるほどネガフィルム１２の同一コマ画像を照射する時間が長くなるので、それだけネガフィルム１２を加熱することになり、ネガ焼けが発生しやすくなる。しかし、このような場合であっても、上述のように焼き付け枚数が多くなるほど露光時間の閾値を小さくすれば、時分割露光され易くなりネガ焼けを防止できる。
【００１４】
なお、焼き付け枚数に応じて露光時間の閾値を変化させてもよい。露光時間の閾値は、たとえば、焼き付け枚数が１０枚以下の場合には基準値とされ、焼き付け枚数が１１枚以上５０枚以下の場合には基準値×０．８とされ、焼き付け枚数が５１枚以上１００枚以下の場合には基準値×０．６とされるように変化させてもよい。
また、焼き付け枚数に応じて露光をオフ（遮断）する時間を増やすようにしてもよい。このように露光オフの時間を増やすことによって、焼き付け枚数が多くなりネガ焼けが生じやすくなる場合であってもネガフィルム１２を冷却する時間が長くなり、ネガ焼けを防止できる。
【００１５】
さらに、時分割露光において、たとえば非接触式の温度センサによってネガフィルム１２の温度を測定し、ネガフィルム１２が所定温度以上になったときに露光をオフし、その後所定温度未満になったときに露光を再開するようにして、最終的に所望時間分露光するようにしてもよい。この場合、ネガフィルム１２の温度を直接検出でき、ネガフィルム１２の冷却を待って露光を再開できるので、ネガフィルム１２のネガ焼けをより確実に抑制できる。
【００１６】
この発明は、焼き付け枚数が多くなるほど有効である。また、印画紙１４のサイズが大きくなるほど露光時間が長くなる傾向があるため、この発明は、印画紙１４のサイズが大きくなればなるほど有効となる。
なお、この発明が適用される写真フィルムはポジフィルムであってもよい。
また、光源１６をオン／オフ制御することによって、露光を時分割してもよい。
【００１７】
【発明の効果】
この発明によれば、フィルム冷却ファンを必要とせずコストを抑えて写真フィルムの劣化（ネガ焼け）を防止することができる。
【図面の簡単な説明】
【図１】この発明の一実施形態を示す概略図である。
【図２】この発明の動作の一例を示すフロー図である。
【符号の説明】
１０　　　写真処理装置
１２　　　ネガフィルム
１４　　　印画紙
１６　　　光源
２６，７６　　　シャッタ
２７，７８　　　ロータリーソレノイド
６６　　　コントローラ
７０　　　操作卓
７２　　　モニタ
【図１】
2004020695.tif 000003
【図２】
2004020695.tif 000004